(57)【要約】【課題】ＲＲＣレイヤで無線リンク状態の失敗を検出した時点で、接続状態の再構築の処理を開始する場合にも、移動局が下りリンクの同期状態を正常に検出しているか否かについて確認する。【解決手段】本発明に係る試験方法は、無線品質を第１閾値以上である第１状態から前記第１閾値以下である第２状態に変更した場合に、前記移動局が前記無線リンク状態の問題を検出するか否かについて判定する第１工程と、前記無線品質を前記第１状態から前記第２状態に変更した時点から第１時間間隔経過した後に、前記無線品質を第２閾値以上である第３状態に変更した場合に、前記移動局が前記無線リンク状態の問題を検出しないか否かについて判定する第２工程とを有することを要旨とする。【選択図】図２
2010183124.tif 000002
【特許請求の範囲】
【請求項１】
移動局における無線リンク状態の問題検出手段を確認する試験方法であって、
無線品質を第１閾値以上である第１状態から前記第１閾値以下である第２状態に変更した場合に、前記移動局が前記無線リンク状態の問題を検出するか否かについて判定する第１工程と、
前記無線品質を前記第１状態から前記第２状態に変更した時点から第１時間間隔経過した後に、前記無線品質を第２閾値以上である第３状態に変更した場合に、前記移動局が前記無線リンク状態の問題を検出しないか否かについて判定する第２工程とを有することを特徴とする試験方法。
【請求項２】
前記第１工程及び前記第２工程において、
前記移動局が上りリンクの信号を送信しているか否かに基づいて、前記移動局が前記無線リンク状態の問題を検出したか否かについて判定することを特徴とする請求項１に記載の試験方法。
【請求項３】
前記第１工程及び前記第２工程において、
前記移動局が上りリンクの信号を送信している場合に、前記移動局が前記無線リンク状態の問題を検出していないと判定し、
前記移動局が上りリンクの信号を送信していない場合に、前記移動局が前記無線リンク状態の問題を検出したと判定することを特徴とする請求項２に記載の試験方法。
【請求項４】
前記上りリンクの信号は、周期的に送信される上りリンクの信号であることを特徴とする請求項３に記載の試験方法。
【請求項５】
前記上りリンクの信号は、サウンディング用の参照信号又は下りリンクの無線品質状態を通知する制御信号であることを特徴とする請求項４に記載の試験方法。
【請求項６】
前記第２工程において、
前記第１時間間隔は、前記移動局が前記無線リンク状態の問題を検出した時点から起動される接続状態の再構築を行う処理を開始するためのタイマーの値と同一であることを特徴とする請求項１に記載の試験方法。
【請求項７】
前記第１工程において、
前記移動局が前記無線リンク状態の問題を検出した場合に、前記移動局が正常に動作したと判定することを特徴とする請求項１に記載の試験方法。
【請求項８】
前記第２工程において、
前記移動局が前記無線リンク状態の問題を検出しなかった場合に、前記移動局が正常に動作したと判定することを特徴とする請求項１に記載の試験方法。
【請求項９】
移動局における無線リンク状態の問題検出手段を確認する試験装置であって、
無線品質を第１閾値以上である第１状態から前記第１閾値以下である第２状態に変更した場合に、前記移動局が前記無線リンク状態の問題を検出するか否かを判定するように構成されている第１判定部と、
前記無線品質を前記第１状態から前記第２状態に変更した時点から第１時間間隔経過した後に、前記無線品質を第２閾値以上である第３状態に変更した場合に、前記移動局が前記無線リンク状態の問題を検出しないか否かについて判定するように構成されている第２判定部とを具備することを特徴とする試験装置。
【発明の詳細な説明】
【技術分野】
【０００１】
本発明は、試験方法及び試験装置に関する。
【背景技術】
【０００２】
一般に、移動通信システムでは、無線基地局と移動局との間の同期状態が監視されるように構成されている。例えば、ＷＣＤＭＡ方式の移動通信システムにおいては、物理レイヤにおける下りリンクの同期状態を判定するために、以下の２つ指標が定義されている（例えば、非特許文献１参照）。
【０００３】
・  個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）の無線品質（ＤＰＣＣＨ  ｑｕａｌｉｔｙ）
・  巡回冗長検査（ＣＲＣ（Ｃｙｃｌｉｃ  Ｒｅｄｕｎｄａｎｃｙ  Ｃｈｅｃｋ）  ｃｈｅｃｋ）結果
【０００４】
ここで、「ＤＰＣＣＨ  ｑｕａｌｉｔｙ」は、パイロットシンボル（Ｐｉｌｏｔ  ｓｙｍｂｏｌｓ）や送信電力制御（ＴＰＣ：  ｔｒａｎｓｍｉｓｓｉｏｎ  ｐｏｗｅｒ  ｃｏｎｔｒｏｌ）ビットの受信品質、例えば、ＳＩＲ（ｓｉｇｎａｌ-ｔｏ-ｉｎｔｅｒｆｅｒｅｎｃｅ  ｐｏｗｅｒ  ｒａｔｉｏ）や受信レベルに相当し、「ＣＲＣ  ｃｈｅｃｋ結果」は、ブロックエラーレート（Ｂｌｏｃｋ  ｅｒｒｏｒ  ｒａｔｅ）に相当する。
【０００５】
すなわち、移動局は、例えば、ＤＰＣＣＨの無線品質に基づいて、下りリンクの同期状態を判定している。
【０００６】
ところで、一般に、移動通信システムにおいて、その通信品質を担保するために、移動局及び無線基地局に対して、試験が適用される。例えば、ＷＣＤＭＡ方式における移動局の試験仕様として、ＴＳ２５.１０１（非特許文献２）が作成されている。
【０００７】
上述した移動局における下りリンクの同期状態の判定動作は、非特許文献２のＳｅｃｔｉｏｎ６.４.４に記載されている。
【０００８】
以下に、図１を参照しながら、上述したＷＣＤＭＡ方式の移動局における下りリンクの同期状態の判定動作を確認する試験方法について説明する。
【０００９】
図１において、「ＤＰＣＣＨ＿Ｅｃ／Ｉｏｒ」は、ＤＰＣＣＨの電力レベルであり、ＤＰＣＣＨの無線品質に相当する。また、「Ｑｉｎ」及び「Ｑｏｕｔ」は、下りリンクの同期状態を判定するための閾値である。
【００１０】
ここで、下りリンクの同期状態がＯＫである状態を「Ｉｎ-ｓｙｎｃ（Ｉｎ-Ｓｙｎｃｈｒｏｎｏｕｓ）」と呼び、下りリンクの同期状態がＮＧである状態を「Ｏｕｔ-ｏｆ-ｓｙｎｃ（Ｏｕｔ-ｏｆ-Ｓｙｎｃｈｒｏｎｏｕｓ）」と呼んでもよい。
【００１１】
また、無線リンク状態の問題が検出されていない状態を「Ｉｎ-ｓｙｎｃ」と呼び、無線リンク状態の問題が検出されている状態を「Ｏｕｔ-ｏｆ-ｓｙｎｃ」と呼んでもよい。
【００１２】
図１に示す試験方法においては、時刻Ｂにおいて、ＤＰＣＣＨの無線品質が、所定の閾値Ｑｏｕｔより高い状態から低い状態に変更され、時刻Ｃにおいて、移動局が上りリンクの信号を停止していることに基づいて、移動局が正常に下りリンクの同期状態を判定していることを確認する。
【００１３】
すなわち、移動局は、Ｏｕｔ-ｏｆ-ｓｙｎｃを検出した場合に、上りリンクの信号を停止するという動作を行うため、時刻Ｃにおいて、移動局が上りリンクの信号を停止しているという動作を確認することにより、移動局が正常にＯｕｔ-ｏｆ-ｓｙｎｃを検出していることが確認される。
【００１４】
なお、時刻ＢからＣまでの時間差は、移動局における判定遅延を考慮するために設定されている。
【００１５】
一方、時刻Ｅにおいて、ＤＰＣＣＨの無線品質が、所定の閾値Ｑｉｎより低い状態から高い状態に変更され、時刻Ｆにおいて、移動局が上りリンクの信号を送信していることに基づいて、移動局が正常に下りリンクの同期状態を判定していることを確認する。
【００１６】
すなわち、移動局は、Ｉｎ-ｓｙｎｃを検出した場合に、上りリンクの信号の送信を開始するという動作を行うため、時刻Ｆにおいて、移動局が上りリンクの信号を送信しているという動作を確認することにより、移動局が正常にＩｎ-ｓｙｎｃを検出していることが確認される。
【００１７】
なお、時刻ＥからＦまでの時間差は、移動局における判定遅延を考慮するために設定されている。
【先行技術文献】
【非特許文献】
【００１８】
【非特許文献１】３ＧＰＰ  ＴＳ２５.２１４  Ｖ８.１.０（２００８年５月）、“４.３.１.３  Ｕｐｌｉｎｋ  Ｓｙｎｃｈｒｏｎｉｚａｔｉｏｎ  ｐｒｉｍｉｔｉｖｅｓ”
【非特許文献２】３ＧＰＰ  ＴＳ２５.１０１  Ｖ８.２.０（２００８年３月）
【発明の概要】
【発明が解決しようとする課題】
【００１９】
上述したように、ＷＣＤＭＡ方式における移動局の下りリンクの同期状態の判定動作を確認する試験方法においては、ＤＰＣＣＨの無線品質を変動させ、ＤＰＣＣＨの無線品質がＱｏｕｔ以下になった場合に、移動局が上りリンクの送信を停止し、ＤＰＣＣＨの無線品質がＱｉｎ以上になった場合に、移動局が上りリンクの送信を開始することに基づいて、移動局が正常に下りリンクの同期状態の判定動作を行っていることを確認していた。
【００２０】
しかしながら、移動通信システムによっては、上述した試験方法を適用できない場合がある。
【００２１】
例えば、ＷＣＤＭＡ方式の後継のシステムであるＬＴＥ（Ｌｏｎｇ  ＴｅｒｍＥｖｏｌｕｔｉｏｎ）方式においては、移動局は、物理レイヤで、下りリンクの同期状態を判定した時点ではなく、ＲＲＣレイヤで、無線リンク状態の失敗を判定した時点で、上りリンクの信号を停止する。
【００２２】
この時、移動局は、ＲＲＣレイヤにおける無線リンク状態の失敗を判定した時点から、接続状態の再構築の処理を開始するため、図１で示した試験方法を適用することができないという問題が存在する。
【００２３】
より具体的には、図１における時刻Ｃで、上りリンクの信号の送信が停止されていることを確認した時点で、移動局は、接続状態の再構築の処理を開始しているため、時刻Ｅにおいて、ＤＰＣＣＨの無線品質がＱｉｎより大きくなったとしても、上りリンクの信号の送信を開始しない。よって、結果として、図１に示す試験方法を適用することができない。
【００２４】
そこで、本発明は、上述の課題に鑑みてなされたものであり、ＲＲＣレイヤで無線リンク状態の失敗を検出した時点で、接続状態の再構築の処理を開始する場合にも、移動局が下りリンクの同期状態を正常に検出しているか否かについて確認することを可能にする試験方法及び試験装置を提供することを目的とする。
【課題を解決するための手段】
【００２５】
本発明の第１の特徴は、試験方法であって、移動局における無線リンク状態の問題検出手段を確認する試験方法であって、無線品質を第１閾値以上である第１状態から前記第１閾値以下である第２状態に変更した場合に、前記移動局が前記無線リンク状態の問題を検出するか否かについて判定する第１工程と、前記無線品質を前記第１状態から前記第２状態に変更した時点から第１時間間隔経過した後に、前記無線品質を第２閾値以上である第３状態に変更した場合に、前記移動局が前記無線リンク状態の問題を検出しないか否かについて判定する第２工程とを有することを要旨とする。
【００２６】
本発明の第１の特徴において、前記第１工程及び前記第２工程において、前記移動局が上りリンクの信号を送信しているか否かに基づいて、前記移動局が前記無線リンク状態の問題を検出したか否かについて判定してもよい。
【００２７】
本発明の第１の特徴において、前記第１工程及び前記第２工程において、前記移動局が上りリンクの信号を送信している場合に、前記移動局が前記無線リンク状態の問題を検出していないと判定し、前記移動局が上りリンクの信号を送信していない場合に、前記移動局が前記無線リンク状態の問題を検出したと判定してもよい。
【００２８】
本発明の第１の特徴において、前記上りリンクの信号は、周期的に送信される上りリンクの信号であってもよい。
【００２９】
本発明の第１の特徴において、前記上りリンクの信号は、サウンディング用の参照信号又は下りリンクの無線品質状態を通知する制御信号であってもよい。
【００３０】
本発明の第１の特徴において、前記第２工程において、前記第１時間間隔は、前記移動局が前記無線リンク状態の問題を検出した時点から起動される接続状態の再構築を行う処理を開始するためのタイマーの値と同一であってもよい。
【００３１】
本発明の第１の特徴において、前記第１工程において、前記移動局が前記無線リンク状態の問題を検出した場合に、前記移動局が正常に動作したと判定してもよい。
【００３２】
本発明の第１の特徴において、前記第２工程において、前記移動局が前記無線リンク状態の問題を検出しなかった場合に、前記移動局が正常に動作したと判定してもよい。
【００３３】
本発明の第２の特徴は、試験装置移動局における無線リンク状態の問題検出手段を確認する試験装置であって、無線品質を第１閾値以上である第１状態から前記第１閾値以下である第２状態に変更した場合に、前記移動局が前記無線リンク状態の問題を検出するか否かを判定するように構成されている第１判定部と、前記無線品質を前記第１状態から前記第２状態に変更した時点から第１時間間隔経過した後に、前記無線品質を第２閾値以上である第３状態に変更した場合に、前記移動局が前記無線リンク状態の問題を検出しないか否かについて判定するように構成されている第２判定部とを具備することを要旨とする。
【発明の効果】
【００３４】
以上説明したように、本発明によれば、ＲＲＣレイヤで無線リンク状態の失敗を検出した時点で、接続状態の再構築の処理を開始する場合にも、移動局が下りリンクの同期状態を正常に検出しているか否かについて確認することを可能にする試験方法及び試験装置を提供することができる。
【図面の簡単な説明】
【００３５】
【図１】ＷＣＤＭＡ方式における下りリンク同期状態の判定方法を示す図である。
【図２】本実施形態に係る試験システムの構成を示す図である。
【図３】本実施形態に係る移動局の構成を示す図である。
【図４】本実施形態に係る移動局における下りリンクの同期状態の判定の様子について説明するための図である。
【図５】本実施形態に係る移動局における無線リンク失敗状態検出の様子について説明するための図である。
【図６】本実施形態に係る移動局におけるＩｎ-ｓｙｎｃの検出の様子について説明するための図である。
【図７】本実施形態に係る試験装置の構成を示す図である。
【図８】本実施形態に係る試験方法を示す図である。
【図９】本実施形態に係る試験方法を示す図である。
【図１０】本実施形態に係る試験方法を示すフローチャートである。
【図１１】本実施形態に係る試験方法を示すフローチャートである。
【発明を実施するための形態】
【００３６】
（本発明の第１の実施形態に係る試験システムの構成）
図２を参照して、本発明の第１の実施形態に係る試験システムの構成について説明する。
【００３７】
図２に示すように、本実施形態に係る試験システムは、ＬＴＥ方式の移動通信システムを前提としている試験システムであり、ＬＴＥ方式の移動通信システムにおける移動局の動作を確認するための試験システムである。
【００３８】
かかる試験システムでは、無線アクセス方式として、下りリンクについては「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクについては「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用される。
【００３９】
ＯＦＤＭ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００４０】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００４１】
また、本実施形態に係る試験システムでは、試験装置２００が、移動局１００に対して、物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を介して下り制御信号を送信し、物理下り共有チャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信するように構成されている。
【００４２】
また、試験装置２００は、下りリンクのパイロット信号であるＤｏｗｎｌｉｎｋ  Ｒｅｆｅｒｅｎｃｅ  Ｓｉｇｎａｌ（ＤＬ  ＲＳ）を送信するように構成されている。
【００４３】
また、下りリンクにおいては、干渉信号生成装置３００から移動局１００に対して、干渉信号が送信される。
【００４４】
本実施形態に係る試験システムにおいては、ＰＤＣＣＨ、ＰＤＳＣＨ、ＤＬ  ＲＳの信号電力と、前記干渉信号の電力とを調節することにより、移動局１００の受信端におけるＰＤＣＣＨ、ＰＤＳＣＨ、ＤＬ  ＲＳの無線品質が調整される。
【００４５】
ここで、無線品質とは、例えば、ＳＩＲ（Ｓｉｇｎａｌ-ｔｏ-Ｉｎｔｅｒｆｅｒｅｎｃｅ  Ｒａｔｉｏ）である。
【００４６】
一方、本実施形態に係る試験システムでは、移動局１００は、上りリンクにおいて、物理上り共有チャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信するように構成されている。
【００４７】
また、移動局１００は、上りリンクにおいて、物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）を介して上り制御信号を送信するように構成されている。
【００４８】
また、移動局１００は、上りリンクにおいて、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してランダムアクセスプリアンブルを送信するように構成されている。
【００４９】
ここで、上り制御信号には、下りリンクの無線品質情報（Ｃｈａｎｎｅｌ  Ｑｕａｌｉｔｙ  Ｉｎｄｉｃａｔｉｏｎ（ＣＱＩ）又はＰｒｅｃｏｄｉｎｇ  Ｍａｔｒｉｘ  Ｉｎｄｉｃａｔｉｏｎ（ＰＭＩ）又はＲａｎｋ  Ｉｎｄｉｃａｔｉｏｎ（ＲＩ））や、スケジューリングリクエストや、ＰＤＳＣＨに対する送達確認情報（ＡＣＫ  ｉｎｆｏｒｍａｔｉｏｎ）等が含まれる。
【００５０】
さらに、移動局１００は、上りリンクにおいて、サウンディング用の参照信号Ｓｏｕｎｄｉｎｇ  Ｒｅｆｅｒｅｎｃｅ  Ｓｉｇｎａｌ（Ｓｏｕｄｉｎｇ  ＲＳ）を送信するように構成されている。
【００５１】
図２において、試験装置２００と移動局１００と干渉信号生成装置３００とは、有線で接続されているが、有線の代わりに、無線で接続されていてもよい。
【００５２】
また、試験装置２００や移動局１００や干渉信号生成装置３００に加えて、フェージングシミュレータ等の装置が追加で接続されてもよい。かかるフェージングシミュレータが接続される場合には、フェージング環境下での試験を適用することが可能となる。
【００５３】
後述するように、移動局１００がランダムアクセスプリアンブルを送信したか否かに基づいて、移動局１００が正常に下りリンクの同期状態を判定しているか否かについて判定する場合には、試験装置２００は、移動局１００が再接続の処理を行うことができるように、移動局１００が最初に通信を行うセルに加えて、再接続先のセルを設定してもよい。
【００５４】
この場合、移動局１００は、再接続の処理を行う際に、セルサーチを行うことにより、前記再接続先のセルをサーチし、その後、前記再接続先のセルに対してランダムアクセスプロシージャーを行うことにより、再接続の処理を行う。
【００５５】
前記再接続先のセルは、例えば、移動局１００が最初に通信を行うセルと同じ周波数である別のセルであってもよいし、或いは、異なる周波数である別のセルであってもよい。また、前記再接続先のセルには、移動局１００が最初に通信を行うセルに対して、同一基地局内における異なるセクタが含まれてもよい。いずれにせよ、前記再接続先のセルにおいて、移動局１００に関するＵＥ  Ｃｏｎｔｅｘｔが保持されている。
【００５６】
図３に示すように、移動局１００は、同期状態判定部１０２と、無線リンク失敗状態判定部１０４と、再接続処理部１０６と、上り信号送信部１０８とを具備している。
【００５７】
同期状態判定部１０２は、移動局１００における下りリンクの無線品質を測定し、かかる無線品質に基づいて、下りリンクの同期状態を判定するように構成されている。
【００５８】
ここで、移動局１００における下りリンクの無線品質とは、試験装置２００と移動局ＵＥとの間の無線リンクの品質である。なお、試験装置２００は、ＬＴＥ方式が適用される移動通信システムにおいては、無線基地局ｅＮＢに相当する。
【００５９】
例えば、同期状態判定部１０２は、移動局ＵＥにおける下りリンクの無線品質として、移動局１００の下りリンクの信号（例えば、参照信号（ＤＬ  ＲＳ）等）のＳＩＲを測定し、かかるＳＩＲに基づいて、下りリンクの同期状態を判定してもよい。
【００６０】
より具体的には、同期状態判定部１０２は、かかるＳＩＲが所定閾値よりも大きい場合に、下りリンクの同期状態がＯＫである、すなわち、Ｉｎ-ｓｙｎｃであると判定し、かかるＳＩＲが所定閾値以下の場合に、下りリンクの同期状態がＮＧである、すなわち、Ｏｕｔ-ｏｆ-ｓｙｎｃであると判定してもよい。
【００６１】
或いは、同期状態判定部１０２は、図４に示すように、Ｑｏｕｔ及びＱｉｎの２つの閾値を設定し、上述のＳＩＲとＱｏｕｔとＱｉｎとに基づいて、下りリンクの同期状態を判定してもよい。
【００６２】
ここで、Ｑｏｕｔ＜Ｑｉｎであり、ＱｉｎとＱｏｕｔと差、すなわち、「Ｑｉｎ−Ｑｏｕｔ」がヒステリシスに相当する。すなわち、図４の例においては、同期状態判定部１０２は、Ｔ＜Ａにおいては、ＳＩＲがＱｏｕｔよりも大きいため、Ｉｎ-ｓｙｎｃであると判定し、時刻Ｔ＝Ａにおいて、ＳＩＲがＱｏｕｔ以下となったことに基づき、Ｏｕｔ-ｏｆ-ｓｙｎｃであると判定する。
【００６３】
そして、同期状態判定部１０２は、時刻Ｔ＝Ｂにおいて、ＳＩＲがＱｉｎより大きくなったことに基づき、Ｉｎ-ｓｙｎｃであると判定し、その後、時刻Ｔ＝Ｃにおいて、ＳＩＲがＱｏｕｔ以下となったことに基づき、Ｏｕｔ-ｏｆ-ｓｙｎｃであると判定する。
【００６４】
このように、２つの閾値を設定することにより、すなわち、「Ｑｉｎ−Ｑｏｕｔ」というヒステリシスを設定することにより、Ｉｎ-ｓｙｎｃとＯｕｔ-ｏｆ-ｓｙｎｃとの判定におけるばたつきを低減することが可能となる。
【００６５】
なお、同期状態判定部１０２は、上述のＳＩＲの値として、瞬時のＳＩＲを所定平均化区間で平均化した値を用いてもよい。ここで、所定平均化区間としては、例えば、１６０ｍｓであってもよいし、２００ｍｓであってもよいし、２０ｍｓであってもよいし、それ以外の値であってもよい。
【００６６】
また、かかるＳＩＲの値は、周波数方向に関して、システム帯域全体で平均した値であってもよいし、システム帯域内の一部の帯域で平均した値であってもよい。かかるシステム帯域内の一部の帯域とは、例えば、システム帯域の中心に位置する、所定の帯域幅を有する帯域であってもよい。或いは、かかるシステム帯域内の一部の帯域とは、例えば、同期信号又は物理報知チャネルが送信される帯域であってもよい。
【００６７】
同期状態判定部１０２は、上述した下りリンクの同期状態の判定結果（Ｉｎ-ｓｙｎｃ/Ｏｕｔ-ｏｆ-ｓｙｎｃ）を無線リンク失敗状態判定部１０４に通知する。
【００６８】
なお、同期状態判定部１０２は、上述の下りリンクの同期状態の判定結果（Ｉｎ-ｓｙｎｃ/Ｏｕｔ-ｏｆ-ｓｙｎｃ）を、１０ｍｓ毎に、無線リンク失敗状態判定部１０４に通知してもよい。ここで、上述の１０ｍｓは、あくまでも一例であり、１０ｍｓ以外の値であってもよい。
【００６９】
また、同期状態判定部１０２は、上述の下りリンクの同期状態の判定結果（Ｉｎ-ｓｙｎｃ/Ｏｕｔ-ｏｆ-ｓｙｎｃ）を、無線リンクフレーム（Ｒａｄｉｏ  Ｌｉｎｋ  Ｆｒａｍｅ）毎に、無線リンク失敗状態判定部１０４に通知してもよい。
【００７０】
また、同期状態判定部１０２は、上述した例において、下りリンクの無線品質として、リファレンス信号（Ｒｅｆｅｒｅｎｃｅ  Ｓｉｇｎａｌ）のＳＩＲを用いたが、代わりに、リファレンス信号の受信電力（Ｒｅｆｅｒｅｎｃｅ  Ｓｉｇｎａｌ  Ｒｅｃｅｉｖｅｄ  Ｐｏｗｅｒ（ＲＳＲＰ））やＲｅｆｅｒｅｎｃｅ  Ｓｉｇｎａｌ  Ｒｅｃｅｉｖｅｄ  Ｑｕａｌｉｔｙ（ＲＳＲＱ）、ＣＱＩを用いてもよい。
【００７１】
或いは、同期状態判定部１０２は、リファレンス信号のＳＩＲの代わりに、ＰＤＣＣＨの誤り率や、ＰＣＦIＣＨの誤り率や、ＰＣＦＩＣＨにおけるＳＩＲや、ＰＤＳＣＨの誤り率や、ＤＬ  ＲＳのシンボル誤り率等を用いてもよい。
【００７２】
ここで、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）は、下りリンクの制御用のＯＦＤＭ  ｓｙｍｂｏｌの数を通知するための制御信号である。
【００７３】
或いは、同期状態判定部１０２は、下りリンクの無線品質として、リファレンス信号（Ｒｅｆｅｒｅｎｃｅ  Ｓｉｇｎａｌ）のＳＩＲや、リファレンス信号の受信電力や、ＲＳＲＱや、ＣＱＩや、ＰＤＣＣＨの誤り率や、ＰＣＦIＣＨの誤り率や、ＰＣＦＩＣＨのＳＩＲや、ＰＤＳＣＨの誤り率や、ＤＬ  ＲＳのシンボル誤り率の内の少なくとも１つを用いてもよい。
【００７４】
なお、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）とは、下りリンクの参照信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。
【００７５】
ここで、ＲＳＳＩとは、移動局において観測されるトータルの受信レベルであり、熱雑音や他セルからの干渉電力や、自セルからの希望信号の電力等の全てを含んだ受信レベルのことである（ＲＳＲＱの定義については、非特許文献ＴＳ３６．２１４、Ｖ８．３．０参照）。
【００７６】
また、ＣＱＩ（Ｃｈａｎｎｅｌ  Ｑｕａｌｉｔｙ  Ｉｎｄｉｃａｔｉｏｎ）とは、下りリンクの無線品質情報である（ＣＱＩの定義については、非特許文献ＴＳ３６．２１３、Ｖ８．３．０参照）。
【００７７】
無線リンク失敗状態判定部１０４は、上述の同期状態判定部１０２における下りリンクの同期状態の判定結果に基づいて、無線リンク失敗状態（ＲＬＦ：Ｒａｄｉｏ  Ｌｉｎｋ  Ｆａｉｌｕｒｅ）であるか否かについて判定するように構成されている。
【００７８】
例えば、無線リンク失敗状態判定部１０４は、同期状態判定部１０２より、Ｎ３１０回連続して、Ｏｕｔ-ｏｆ-ｓｙｎｃが報告された場合に、タイマーＴ３１０を起動し、かかるタイマーＴ３１０が満了した場合に、無線リンク失敗状態であると判定してもよい。
【００７９】
より具体的には、無線リンク失敗状態判定部１０４は、図５に示すように、時刻Ｔ＝Ａから時刻Ｔ＝Ｂまでの間に、同期状態判定部１０２から、連続してＮ３１０回、下りリンクの同期状態として、Ｏｕｔ-ｏｆ-ｓｙｎｃを示す通知を受信する。
【００８０】
かかる場合、時刻Ｔ＝Ｂにおいて、無線リンク失敗状態判定部１０４は、タイマーＴ３１０を起動する。そして、無線リンク失敗状態判定部１０４は、タイマーＴ３１０が満了した場合に（時刻Ｔ＝Ｃ）、無線リンク失敗状態であると判定する。
【００８１】
かかるタイマーＴ３１０は、移動局が無線リンク状態の問題を検出した時点から起動される、接続状態の再構築を行う処理を開始するためのタイマーに相当する。
【００８２】
ここで、図６に示すように、無線リンク失敗状態判定部１０４は、タイマーＴ３１０を起動している状態において、同期状態判定部１０２より、時刻Ｔ＝Ｃから時刻Ｔ＝Ｄまでの間に、連続してＮ３１１回、下りリンクの同期状態として、Ｉｎ-ｓｙｎｃという通知を受信する。
【００８３】
かかる場合、時刻Ｔ＝Ｄにおいて、無線リンク失敗状態判定部１０４は、タイマーＴ３１０を停止する。この場合、タイマーＴ３１０が、満了する前に停止されたため、無線リンク失敗状態判定部１０４は、無線リンク失敗状態であるとは判定しない。
【００８４】
なお、上述した例において、Ｎ３１０やＮ３１１は、Ｏｕｔ-ｏｆ-ｓｙｎｃ又はＩｎ-ｓｙｎｃが連続して通知される回数に関する閾値であったが、代わりに、Ｏｕｔ-ｏｆ-ｓｙｎｃ又はＩｎ-ｓｙｎｃが連続して通知される時間に関する閾値であってもよい。
【００８５】
すなわち、Ｎ３１０やＮ３１１は、Ｔ３１０と同様にタイマーとして扱われてもよい。すなわち、上述したＮ３１１やＮ３１１は、その単位として、同期状態判定部１０２より同期状態を通知される回数であってもよいし、代わりに、同期状態判定部１０２より同期状態を通知される時間であってもよい。
【００８６】
無線リンク失敗状態判定部１０４は、無線リンク失敗状態であると判定した場合に、かかる判定結果を、再接続処理部１０６と上りリンク信号送信部１０８に通知する。
【００８７】
なお、無線リンク失敗状態判定部１０４は、無線リンク失敗状態であると判定した結果を通知する代わりに、タイマーＴ３１０が満了したという結果を、再接続処理部１０６と上りリンク信号送信部１０８に通知してもよい。
【００８８】
再接続処理部１０６は、無線リンク失敗状態判定部１０４から、無線リンク失敗状態であるという判定結果を通知された場合に、再接続の処理を行う。また、再接続処理部１０４は、前記再接続の処理を行う前に、移動局１００と試験装置２００との間の通信の設定（Ｃｏｎｆｉｇｕｒａｔｉｏｎ）をクリアしてもよい。
【００８９】
なお、再接続の処理とは、例えば、「Ｃｅｌl  Ｕｐｄａｔｅ処理」と呼ばれてもよい。また、「Ｃｅｌl  Ｕｐｄａｔｅ処理」とは、例えば、セルサーチ、サーチしたセルの無線品質のメジャメント等を行い、通信可能なセルが存在する場合に、当該セルに対して接続の構築を再度行うことを指す。
【００９０】
ここで、移動局１００が、当該セルに対して接続の構築を再度行う場合、まず当該セルに対してランダムアクセスプロシージャー（ランダムアクセス手順）を行う。すなわち、移動局は、当該セルに対して接続の構築を再度行う場合、まず当該セルに対して、ＰＲＡＣＨを介してランダムアクセスプリアンブルを送信する。
【００９１】
なお、「Ｃｅｌl  Ｕｐｄａｔｅ処理」は、「Ｃｏｎｎｅｃｔｉｏｎ  Ｒｅ-ｅｓｔａｂｌｉｓｈｍｅｎｔ処理」と呼ばれてもよい。
【００９２】
なお、上述した「無線リンク失敗状態判定部１０４から、無線リンク失敗状態であるという判定結果を通知された場合」とは、「無線リンク失敗状態判定部１０４から、タイマーＴ３１０が満了したという結果を通知された場合」という意味であってもよい。
【００９３】
すなわち、再接続処理部１０６は、無線リンク失敗状態判定部１０４から、タイマーＴ３１０が満了したという結果を通知された場合に、再接続の処理を行ってもよい。
【００９４】
上りリンク信号送信部１０８は、上りリンクにおいて、試験装置２００に対して上りリンクの信号を送信する。
【００９５】
ここで、かかる上りリンクの信号には、例えば、ＰＵＳＣＨやＰＵＣＣＨ、サウンディング用のリファレンス信号等が含まれる。なお、前記ＰＵＣＣＨにより、例えば、下りリンクの無線品質情報である、ＣＱＩ、ＰＭＩ、ＲＩ等が送信されてもよい。
【００９６】
上りリンク信号送信部１０８は、無線リンク失敗状態判定部１０４から、無線リンク失敗状態であるという判定結果を通知された場合に、かかる上りリンクの信号の送信を停止する。
【００９７】
なお、上述した「無線リンク失敗状態判定部１０４から、無線リンク失敗状態であるという判定結果を通知された場合」とは、「無線リンク失敗状態判定部１０４から、タイマーＴ３１０が満了したという結果を通知された場合」という意味であってもよい。
【００９８】
すなわち、上りリンク信号送信部１０８は、無線リンク失敗状態判定部１０４から、タイマーＴ３１０が満了したという結果を通知された場合に、かかる上りリンクの信号の送信を停止してもよい。
【００９９】
なお、上りリンク信号送信部１０８は、上述したように、再接続の処理において、通信可能なセルに対して接続の構築を再度行う場合に、前記通信可能なセルに対して、ＰＲＡＣＨを介してランダムアクセスプリアンブルを送信してもよい。
【０１００】
なお、上述した例においては、移動局１００が上りリンクにおいて、ＰＵＳＣＨまたはＰＵＣＣＨを送信する場合を示したが、代わりに、移動局１００がＰＵＳＣＨやＰＵＣＣＨを送信しない場合の動作を以下に説明する。例えば、ＬＴＥにおいては、上りリンクのタイミング同期（Ｕｐｌｉｎｋ  Ｔｉｍｅ  Ａｌｉｇｎｍｅｎｔ）が維持されていない場合や、間欠受信制御（ＤＲＸ：Ｄｉｓｃｏｎｔｉｎｕｏｕｓ  Ｒｅｃｅｐｔｉｏｎ  Ｃｏｎｔｒｏｌ）が適用されている場合においては、移動局１００は、基本的に、上述した、上りリンクの信号、すなわち、ＰＵＳＣＨやＰＵＣＣＨを送信しない。
【０１０１】
この場合、上りリンク信号送信部１０８は、上述した、ＰＵＳＣＨやＰＵＣＣＨ、サウンディング用のリファレンス信号等は送信せず、上述した、再接続の処理において、ＰＲＡＣＨを介してランダムアクセスプリアンブルを送信するという動作を行うように構成されていてもよい。
【０１０２】
図７に示すように、試験装置２００は、下りリンク信号送信部２０２と、信号電力調節部２０４と、上り信号受信部２０６と、移動局動作判定部２０８とを具備する。
【０１０３】
下りリンク信号送信部２０２は、移動局１００に対して、下りリンクの信号を送信するように構成されている。かかる下りリンクの信号には、ＰＤＳＣＨやＰＤＣＣＨ、ＤＬ  ＲＳ、ＰＣＦＩＣＨ等が含まれる。
【０１０４】
また、下りリンク信号送信部２０２は、後述する信号電力調節部２０４から通知される信号電力に関する情報に基づいて、かかる下りリンクの信号電力を設定し、かかる下りの信号電力に基づいて、かかる下りリンクの信号の送信を行う。
【０１０５】
信号電力調節部２０４は、移動局１００の受信端における無線品質が所定の値に設定されるように、かかる下りリンクの信号の信号電力を調節し、その調節した結果を、信号電力に関する情報として、下りリンク信号送信部２０２に通知する。
【０１０６】
信号電力調節部２０４は、下りリンクの信号の送信電力を調節する場合に、後述するように、移動局動作判定部２０８より通知される、各時刻における移動局の受信端における下りリンクの無線品質に基づいて、各時刻における下りリンクの信号の送信電力を調節してもよい。
【０１０７】
なお、本処理において、干渉信号生成装置３００からの干渉信号の電力を固定とし、信号電力調節部２０４において、下りリンクの信号の信号電力が調節されることにより、上述したような移動局１００の受信端における下りリンクの信号の無線品質が調整されてもよい。
【０１０８】
或いは、信号電力調節部２０４において設定される下りリンクの信号の信号電力を固定とし、干渉信号生成装置３００からの干渉信号の電力が調節されることにより、上述したような移動局１００の受信端における下りリンクの信号の無線品質が調整されてもよい。
【０１０９】
或いは、号電力調節部２０４において設定される下りリンクの信号の信号電力と、干渉信号生成装置３００からの干渉信号の電力との両方が調節されることにより、移動局１００の受信端における下りリンクの信号の無線品質が調整されてもよい。
【０１１０】
上りリンク信号受信部２０６は、移動局１００から送信される上りリンクの信号を受信する。ここで、かかる上りリンクの信号には、例えば、ＰＵＳＣＨやＰＵＣＣＨ、Ｓｏｕｎｄｉｎｇ  ＲＳ等が含まれる。
【０１１１】
また、上りリンク信号受信部２０６は、移動局１００から送信されるランダムアクセスプリアンブルを受信する。
【０１１２】
また、上りリンク信号受信部２０６は、移動局１００から送信される上りリンクの信号の品質（例えば、信号電力やＳＩＲ等）を測定することにより、移動局１００が上りリンクの信号を送信しているか否かについて判定する。なお、移動局１００が上りリンクの信号を送信しているか否かについて精度良く判定できるのであれば、上記以外の方法を用いて、移動局１００が上りリンクの信号を送信しているか否かについて判定してもよい。
【０１１３】
そして、上りリンク信号受信部２０６は、移動局１００が上りリンクの信号を送信しているか否かについての情報を、移動局動作判定部２０８に通知する。
【０１１４】
或いは、上りリンク信号受信部２０６は、移動局１００から送信されたランダムアクセスプリアンブルを受信する場合に、移動局１００がランダムアクセスプリアンブルを送信したという情報を、移動局動作判定部２０８に通知する。
【０１１５】
ここで、上りリンク信号受信部２０６は、前記ランダムアクセスプリアンブルを、上述した、再接続の処理における、通信可能なセルとして受信してもよい。
【０１１６】
すなわち、上りリンク信号受信部２０６は、例えば、移動局１００がもともと通信を行っていたセルとは別のセルとして、前記ランダムアクセスプリアンブルを受信してもよい。
【０１１７】
前記移動局１００がもともと通信を行っていたセルとは別のセルとは、例えば、同じ周波数である別のセルであってもよいし、異なる周波数である別のセルであってもよい。また、前記別のセルには、同一基地局内における異なるセクタが含まれてもよい。
【０１１８】
移動局動作判定部２０８は、移動局１００が正常に下りリンクの同期状態を判定しているか否か、すなわち、移動局１００が正常に下りリンクの無線リンクにおいて問題が生じているか否かについて判定する。
【０１１９】
より具体的には、移動局動作判定部２０８は、上りリンク信号送信部２０６から通知される、移動局１００が上りリンクの信号を送信しているか否かについての情報に基づいて、移動局１００が正常に下りリンクの同期状態を判定しているか否かについて判定する。
【０１２０】
ここで、移動局動作判定部２０８は、図８及び図９に示すように、移動局の受信端における下りリンクの無線品質を時間的に変化させることにより、移動局１００が正常に下りリンクの同期状態を判定しているか否かについて判定する。
【０１２１】
この場合、移動局動作判定部２０８は、各時刻における移動局の受信端における下りリンクの無線品質を、信号電力調節部２０４に通知することにより、移動局の受信端における下りリンクの無線品質を時間的に変化させてもよい。
【０１２２】
以下に、図８及び図９を用いて、本実施形態における試験システムにおける、移動局１００が正常に下りリンクの同期状態を判定しているか否かについて確認するための試験方法を説明する。
【０１２３】
図８を用いて、下りリンクの無線品質が良好な状態から、劣悪な状態に変化した場合に、移動局が正常に下りリンクの同期状態を判定するか否かについて確認するための試験方法を説明する。
【０１２４】
まず、当該試験において、Ｎ３１０は０に設定され、タイマーＴ３１０は「０ｍｓ」に設定されている。また、上りリンクにおいて、移動局１００は、周期的な信号を送信するように設定されている。
【０１２５】
ここで、かかる周期的な信号は、例えば、Ｓｏｕｎｄｉｎｇ  ＲＳやＣＱＩ／ＰＭＩ／ＲＩを送信するためのＰＵＣＣＨであってもよい。また、かかる周期的な信号の送信周期は、２ｍｓであってもよい。なお、かかる周期的な信号の送信周期は、２ｍｓ以外の値でもよいが、できる限り小さい値が望ましい。
【０１２６】
時刻Ｂにおいて、移動局動作判定部２０８は、下りリンクの無線品質を、Ｑｏｕｔより大きい状態からＱｏｕｔより小さい状態に変更する。
【０１２７】
時刻Ｃにおいて、移動局動作判定部２０８は、移動局１００が上りリンクの信号を送信しているか否かに基づいて、移動局１００が正常に下りリンクの同期状態を判定しているか否かについて判定する。
【０１２８】
より具体的には、移動局動作判定部２０８は、移動局１００が、上りリンクの信号を送信していない場合に、移動局１００が、Ｏｕｔ-ｏｆ-ｓｙｎｃを検出したと判断し、移動局１００が、正常に下りリンクの同期状態を判定していると判定し、移動局１００が、上りリンクの信号を送信している場合に、移動局１００が、Ｏｕｔ-ｏｆ-ｓｙｎｃを検出していないと判断し、移動局１００が、正常に下りリンクの同期状態を判定していないと判定する。
【０１２９】
ここで、上述した判定処理は、Ｎ３１０の値が「０」であり、かつ、タイマーＴ３１０が「０ｍｓ」であることにより、下りリンクの無線品質がＱｏｕｔよりも小さくなった瞬間に、移動局１００は、無線リンク失敗状態を判定し、上りリンクの信号の送信を停止する、という動作に基づいている。
【０１３０】
なお、時刻Ｂから時刻Ｃまでの時間は、移動局１００における処理遅延を考慮した時間である。
【０１３１】
また、上述した例においては、Ｎ３１０の値を「０」とし、タイマーＴ３１０の値を「０ｍｓ」としているが、上記以外の値が用いられてもよい。この場合、Ｎ３１０及びＴ３１０の値に基づいて、時刻Ｃが設定される。
【０１３２】
なお、上述した例においては、移動局１００が上りリンクにおいて、ＰＵＳＣＨまたはＰＵＣＣＨを送信する場合における移動局動作判定部２０８の処理を示したが、以下では、代わりに、ＰＵＳＣＨ又はＰＵＣＣＨを送信しない場合における移動局動作判定部２０８の処理を示す。
【０１３３】
ここで、ＰＵＳＣＨ又はＰＵＣＣＨを送信しない場合とは、例えば、上りリンクのタイミング同期（Ｕｐｌｉｎｋ  Ｔｉｍｅ  Ａｌｉｇｎｍｅｎｔ）が維持されていない場合や、間欠受信制御（ＤＲＸ：Ｄｉｓｃｏｎｔｉｎｕｏｕｓ  Ｒｅｃｅｐｔｉｏｎ  Ｃｏｎｔｒｏｌ）が適用されている場合である。
【０１３４】
この場合、移動局動作判定部２０８は、時刻Ｃにおいて、移動局１００が上りリンクの信号を送信しているか否かに基づいて、移動局１００が正常に下りリンクの同期状態を判定しているか否かについて判定する代わりに、移動局１００がランダムアクセスプリアンブルを送信したか否かに基づいて移動局１００が正常に下りリンクの同期状態を判定しているか否かについて判定する。
【０１３５】
より具体的には、移動局動作判定部２０８は、移動局１００が、ランダムアクセスプリアンブルを送信したと判定した場合に、移動局１００が、Ｏｕｔ-ｏｆ-ｓｙｎｃを検出したと判断し、移動局１００が、正常に下りリンクの同期状態を判定していると判定し、移動局１００が、ランダムアクセスプリアンブルを送信しなかったと判定した場合に、移動局１００が、Ｏｕｔ-ｏｆ-ｓｙｎｃを検出していないと判断し、移動局１００が、正常に下りリンクの同期状態を判定していないと判定する。
【０１３６】
図９を用いて、下りリンクの無線品質が劣悪な状態から、良好な状態に変化した場合に、移動局が正常に下りリンクの同期状態を判定するか否かについて確認するための試験方法を説明する。
【０１３７】
まず、当該試験において、Ｎ３１０及びＮ３１１は「０」に設定され、タイマーＴ３１０は、時刻Ｂから時刻Ｆまでの時間間隔に設定されている。或いは、時刻Ｆが、時刻ＢからタイマーＴ３１０だけ経過した時刻になるように設定されている。また、時刻Ｂから時刻Ｃまでの時間間隔は、時刻Ｆから時刻Ｇまでの時間間隔と同一となるように設定されている。
【０１３８】
また、上りリンクにおいて、移動局１００は、周期的な信号を送信するように設定されている。ここで、かかる周期的な信号は、例えば、Ｓｏｕｎｄｉｎｇ  ＲＳやＣＱＩ／ＰＭＩ／ＲＩを送信するためのＰＵＣＣＨであってもよい。また、かかる周期的な信号の送信周期は、２ｍｓであってもよい。なお、かかる周期的な信号の送信周期は、２ｍｓ以外の値でもよいが、できる限り小さい値が望ましい。
【０１３９】
時刻Ｂにおいて、移動局動作判定部２０８は、下りリンクの無線品質を、Ｑｏｕｔより大きい状態からＱｏｕｔより小さい状態に変更する。
【０１４０】
時刻Ｅにおいて、移動局動作判定部２０８は、下りリンクの無線品質を、Ｑｉｎより小さい状態からＱｉｎより大きい状態に変更する。
【０１４１】
時刻Ｇにおいて、移動局動作判定部２０８は、移動局１００が上りリンクの信号を送信しているか否かに基づいて、移動局１００が正常に下りリンクの同期状態を判定しているか否かを判定する。
【０１４２】
より具体的には、移動局動作判定部２０８は、移動局１００が、上りリンクの信号を送信している場合に、移動局１００が、Ｉｎ-ｓｙｎｃを検出していると判断し、移動局１００が、正常に下りリンクの同期状態を判定していると判定し、移動局１００が、上りリンクの信号を送信していない場合に、移動局１００が、Ｉｎ-ｓｙｎｃを検出していないと判断し、移動局１００が、正常に下りリンクの同期状態を判定していないと判定する。
【０１４３】
ここで、上述した判定処理は、Ｎ３１０及びＮ３１１の値が「０」であり、かつ、タイマーＴ３１０が時刻Ｂから時刻Ｆまでの時間間隔に設定されていることにより、下りリンクの無線品質がＱｏｕｔよりも小さくなった瞬間に、移動局１００は、タイマーＴ３１０を起動し、タイマーＴ３１０が起動中に、下りリンクの無線品質がＱｉｎよりも大きくなった瞬間に、タイマーＴ３１０を停止する、という動作に基づいている。
【０１４４】
逆に言えば、時刻Ｅから時刻Ｇまでの間に、移動局が、Ｉｎ-ｓｙｎｃを検出しない場合、タイマーＴ３１０が停止されないため、時刻Ｇまでに、タイマーＴ３１０は満了すると考えられる。
【０１４５】
この場合、移動局１００は、上りリンクの信号の送信を停止し、再接続の処理を開始するため、結果として、時刻Ｇにおいて、上りリンクの信号を送信していないことになる。
【０１４６】
なお、時刻Ｅから時刻Ｆまでの時間は、移動局１００における処理遅延を考慮した時間である。
【０１４７】
また、上述した例においては、Ｎ３１０及びＮ３１１の値を０とし、タイマーＴ３１０の値を時刻Ｂか時刻Ｆまでの時間間隔としているが、上記以外の値が用いられてもよい。この場合、Ｎ３１０及びＮ３１１及びＴ３１０の値に基づいて、時刻Ｇが設定される。
【０１４８】
なお、上述した例においては、移動局１００が上りリンクにおいて、ＰＵＳＣＨまたはＰＵＣＣＨを送信する場合における移動局動作判定部２０８の処理を示したが、以下では、代わりに、ＰＵＳＣＨ又はＰＵＣＣＨを送信しない場合における移動局動作判定部２０８の処理を示す。
【０１４９】
ここで、ＰＵＳＣＨ又はＰＵＣＣＨを送信しない場合とは、例えば、上りリンクのタイミング同期（Ｕｐｌｉｎｋ  Ｔｉｍｅ  Ａｌｉｇｎｍｅｎｔ）が維持されていない場合や、間欠受信制御（ＤＲＸ：Ｄｉｓｃｏｎｔｉｎｕｏｕｓ  Ｒｅｃｅｐｔｉｏｎ  Ｃｏｎｔｒｏｌ）が適用されている場合である。
【０１５０】
この場合、移動局動作判定部２０８は、時刻Ｇにおいて、移動局１００が上りリンクの信号を送信しているか否かに基づいて、移動局１００が正常に下りリンクの同期状態を判定しているか否かについて判定する代わりに、移動局１００がランダムアクセスプリアンブルを送信したか否かに基づいて移動局１００が正常に下りリンクの同期状態を判定しているか否かについて判定する。
【０１５１】
より具体的には、移動局動作判定部２０８は、移動局１００が、ランダムアクセスプリアンブルを送信しなかったと判定した場合に、移動局１００が、Ｉｎ−Ｓｙｎｃを検出していると判断し、移動局１００が、正常に下りリンクの同期状態を判定していると判定し、移動局１００が、ランダムアクセスプリアンブルを送信したと判定した場合に、移動局１００が、Ｉｎ−ｓｙｎｃを検出していないと判断し、移動局１００が、正常に下りリンクの同期状態を判定していないと判定する。
【０１５２】
なお、上述した時刻Ｇにおいて、移動局１００が上りリンクの信号を送信しているか否かに基づいて、移動局１００が正常に下りリンクの同期状態を判定しているか否かを判定する方法は、タイマーＴ３１０が、時刻Ｂから時刻Ｃの間に起動されていることを前提としている。
【０１５３】
かかる移動局１００が時刻Ｂから時刻Ｃの間にタイマーＴ３１０を起動するという動作は、上述した、図８を用いて説明した試験方法により保証されると考えられる。
【０１５４】
なお、上述した例において、試験装置２００は、移動局１００が上りリンクの信号を送信しているか否かに基づいて、移動局１００が正常に下りリンクの同期状態を判定しているか否かを判定しているが、代わりに、移動局１００が再接続の処理を行ったか否かに基づいて、移動局１００が正常に下りリンクの同期状態を判定しているか否かを判定してもよい。
【０１５５】
この場合、移動局１００が上りリンクの信号を送信しているという状態が、移動局１００が再接続の処理を行わなかったという状態に対応し、移動局１００が上りリンクの信号を送信していないという状態が、移動局１００が再接続の処理を行った、或いは、行っているという状態に対応する。
【０１５６】
（本発明の第１の実施形態に係る試験システムの動作）
図１０及び図１１を参照して、本発明の第１の実施形態に係る試験システムの動作について説明する。
【０１５７】
図１０を用いて、移動局１００が、無線品質が良好な状態から劣悪な状況に変化した場合に、適切に、下りリンクの同期状態を判定することを確認する試験方法（動作）について説明する。
【０１５８】
ステップＳ１００２において、試験装置２００は、移動局１００における下りリンクの受信端における無線品質を、Ｑｏｕｔより高い状態から、Ｑｏｕｔより低い状態に変更する。
【０１５９】
ステップＳ１００４において、試験装置２００は、移動局１００が上りリンクの信号を送信しているか否かを判定する。
【０１６０】
なお、試験装置２００は、移動局１００が上りリンクの信号を送信しているか否かの代わりに、移動局１００が再接続の処理を行ったか否かを判定してもよい。この場合、上りリンクの信号を送信しているという動作が、再接続の処理を行わなかったという動作に対応し、上りリンクの信号を送信していないという動作が、再接続の処理を行ったという動作に対応する。
【０１６１】
移動局１００が上りリンクの信号を送信している場合（ステップＳ１００４：ＹＥＳ）、ステップＳ１００６に進む。
【０１６２】
ステップＳ１００６において、試験装置２００は、移動局１００が下りリンクの同期状態を正常に判定していないと判定する。
【０１６３】
移動局１００が上りリンクの信号を送信していない場合（ステップＳ１００４：ＮＯ）、ステップＳ１００８に進む。
【０１６４】
ステップＳ１００８において、試験装置２００は、移動局１００が下りリンクの同期状態を正常に判定していると判定する。
【０１６５】
図１１を用いて、移動局１００が、無線品質が劣悪な状態から良好な状況に変化した場合に、適切に、下りリンクの同期状態を判定することを確認する試験方法（動作）について説明する。
【０１６６】
ステップＳ１１０２において、試験装置２００は、移動局１００における下りリンクの受信端における無線品質を、Ｑｏｕｔより高い状態から、Ｑｏｕｔより低い状態に変更する。
【０１６７】
ステップＳ１１０４において、試験装置２００は、ステップＳ１１０２における時点から、タイマーＴ３１０だけ経過した時点において、移動局１００における下りリンクの受信端における無線品質を、Ｑｉｎより低い状態から、Ｑｉｎより高い状態に変更する。
【０１６８】
ステップＳ１１０６において、試験装置２００は、移動局１００が上りリンクの信号を送信しているか否かについて判定する。
【０１６９】
なお、試験装置２００は、移動局１００が上りリンクの信号を送信しているか否かの代わりに、移動局１００が再接続の処理を行ったか否かを判定してもよい。この場合、上りリンクの信号を送信しているという動作が、再接続の処理を行わなかったという動作に対応し、上りリンクの信号を送信していないという動作が、再接続の処理を行ったという動作に対応する。
【０１７０】
移動局１００が上りリンクの信号を送信していない場合（ステップＳ１１０６：ＮＯ）、ステップＳ１１０８に進む。
【０１７１】
ステップＳ１１０８において、試験装置２００は、移動局１００が下りリンクの同期状態を正常に判定していないと判定する。
【０１７２】
移動局１００が上りリンクの信号を送信している場合（ステップＳ１１０６：ＮＯ）、ステップＳ１１１０に進む。
【０１７３】
ステップＳ１１１０において、試験装置２００は、移動局１００が下りリンクの同期状態を正常に判定していると判定する。
【０１７４】
（本発明の第１の実施形態に係る移動通信システムの作用・効果）
本発明の第１の実施形態に係る移動通信システムによれば、移動局が、ＲＲＣレイヤで無線リンク状態の失敗を検出した時点で、接続状態の再構築の処理を開始する場合にも、移動局が下りリンクの同期状態を正常に検出しているか否かを確認することができ、結果として、移動局の動作品質を保証することが可能となり、結果として、移動通信システムにおける通信品質の安定、更にはユーザ利便性を向上することができる。
【０１７５】
なお、上述の試験装置２００や移動局１００、干渉信号生成装置３００の動作は、ハードウェアによって実施されてもよいし、プロセッサによって実行されるソフトウェアモジュールによって実施されてもよいし、両者の組み合わせによって実施されてもよい。
【０１７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、試験装置２００や移動局１００や干渉信号生成装置３００内に設けられていてもよい。また、かかる記憶媒体及びプロセッサは、ディスクリートコンポーネントとして試験装置２００や移動局１００や干渉信号生成装置３００内に設けられていてもよい。
【０１７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１７９】
１００…移動局
１０２…同期状態判定部
１０４…無線リンク失敗状態判定部
１０６…再接続処理部
１０８…上りリンク信号送信部
２００…試験装置
２０２…下りリンク信号送信部
２０４…信号電力調節部
２０６…上りリンク信号受信部
２０６…移動局動作判定部
３００…干渉信号生成装置
【図１】
2010183124.tif 000003
【図２】
2010183124.tif 000004
【図３】
2010183124.tif 000005
【図４】
2010183124.tif 000006
【図５】
2010183124.tif 000007
【図６】
2010183124.tif 000008
【図７】
2010183124.tif 000009
【図８】
2010183124.tif 000010
【図９】
2010183124.tif 000011
【図１０】
2010183124.tif 000012
【図１１】
2010183124.tif 000013
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
移動局における無線リンク状態の問題検出手段を確認する試験方法であって、
無線品質を第１閾値以上である第１状態から前記第１閾値以下である第２状態に変更した場合に、前記移動局が前記無線リンク状態の問題を検出するか否かについて判定する第１工程と、
前記無線品質を前記第１状態から前記第２状態に変更した時点から第１時間間隔経過した後に、前記無線品質を第２閾値以上である第３状態に変更した場合に、前記移動局が前記無線リンク状態の問題を検出しないか否かについて判定する第２工程とを有することを特徴とする試験方法。
【請求項２】
前記第１工程及び前記第２工程において、
前記移動局が上りリンクの信号を送信しているか否かに基づいて、前記移動局が前記無線リンク状態の問題を検出したか否かについて判定することを特徴とする請求項１に記載の試験方法。
【請求項３】
前記第１工程及び前記第２工程において、
前記移動局が上りリンクの信号を送信している場合に、前記移動局が前記無線リンク状態の問題を検出していないと判定し、
前記移動局が上りリンクの信号を送信していない場合に、前記移動局が前記無線リンク状態の問題を検出したと判定することを特徴とする請求項２に記載の試験方法。
【請求項４】
前記上りリンクの信号は、周期的に送信される上りリンクの信号であることを特徴とする請求項３に記載の試験方法。
【請求項５】
前記上りリンクの信号は、サウンディング用の参照信号又は下りリンクの無線品質状態を通知する制御信号であることを特徴とする請求項４に記載の試験方法。
【請求項６】
前記第２工程において、
前記第１時間間隔は、前記移動局が前記無線リンク状態の問題を検出した時点から起動される接続状態の再構築を行う処理を開始するためのタイマーの値と同一であることを特徴とする請求項１に記載の試験方法。
【請求項７】
前記第１工程において、
前記移動局が前記無線リンク状態の問題を検出した場合に、前記移動局が正常に動作したと判定することを特徴とする請求項１に記載の試験方法。
【請求項８】
前記第２工程において、
前記移動局が前記無線リンク状態の問題を検出しなかった場合に、前記移動局が正常に動作したと判定することを特徴とする請求項１に記載の試験方法。
【請求項９】
前記第２工程において、
前記移動局がＣＱＩの送信を停止せずにＣＱＩを送信している場合に、前記移動局が前記無線リンク状態の問題を検出していないと判定し、前記移動局が正常に動作したと判定することを特徴とする請求項２に記載の試験方法。
【請求項１０】
移動局における無線リンク状態の問題検出手段を確認する試験装置であって、
無線品質を第１閾値以上である第１状態から前記第１閾値以下である第２状態に変更した場合に、前記移動局が前記無線リンク状態の問題を検出するか否かを判定するように構成されている第１判定部と、
前記無線品質を前記第１状態から前記第２状態に変更した時点から第１時間間隔経過した後に、前記無線品質を第２閾値以上である第３状態に変更した場合に、前記移動局が前記無線リンク状態の問題を検出しないか否かについて判定するように構成されている第２判定部とを具備することを特徴とする試験装置。
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
移動局における無線リンク状態の問題検出手段を確認する試験方法であって、
無線品質を第１閾値以上である第１状態から前記第１閾値以下である第２状態に変更した場合に、前記移動局が上りリンクの信号を送信しているか否かに基づいて、該移動局が前記無線リンク状態の問題を検出するか否かについて判定する第１工程と、
前記無線品質を前記第１状態から前記第２状態に変更した時点から第１時間間隔経過した後に、前記無線品質を第２閾値以上である第３状態に変更した場合に、前記移動局が上りリンクの信号を送信しているか否かに基づいて、該移動局が前記無線リンク状態の問題を検出しないか否かについて判定する第２工程とを有することを特徴とする試験方法。
【請求項２】
前記第１工程及び前記第２工程において、
前記移動局が上りリンクの信号を送信している場合に、該移動局が前記無線リンク状態の問題を検出していないと判定し、
前記移動局が上りリンクの信号を送信していない場合に、該移動局が前記無線リンク状態の問題を検出したと判定することを特徴とする請求項１に記載の試験方法。
【請求項３】
前記第１工程において、前記移動局が前記無線リンク状態の問題を検出した場合に、該移動局が正常に動作したと判定し、
前記第２工程において、前記移動局が前記無線リンク状態の問題を検出していない場合に、該移動局が正常に動作したと判定することを特徴とする請求項１又は２に記載の試験方方法。
【請求項４】
前記上りリンクの信号は、周期的に送信される上りリンクの信号であることを特徴とする請求項１乃至３のいずれか一項に記載の試験方法。
【請求項５】
前記上りリンクの信号は、サウンディング用の参照信号又は下りリンクの無線品質状態を通知する制御信号であることを特徴とする請求項４に記載の試験方法。
【請求項６】
前記上りリンクの信号は、下りリンクの無線品質情報であることを特徴とする請求項１乃至３のいずれか一項に記載の試験方法。
【請求項７】
前記第２工程において、
前記第１時間間隔は、前記移動局が前記無線リンク状態の問題を検出した時点から起動される接続状態の再構築を行う処理を開始するためのタイマーによって決定される時間間隔であることを特徴とする請求項１乃至６のいずれか一項に記載の試験方法。
【請求項８】
前記第２工程において、
前記タイマーは、前記移動局が所定回数だけ連続してＯｕｔ-ｏｆ-ｓｙｎｃを検出した時点で起動されることを特徴とする請求項７に記載の試験方法。
【請求項９】
移動局における無線リンク状態の問題検出手段を確認する試験装置であって、
無線品質を第１閾値以上である第１状態から前記第１閾値以下である第２状態に変更した場合に、前記移動局が上りリンクの信号を送信しているか否かに基づいて、前記移動局が前記無線リンク状態の問題を検出するか否かを判定するように構成されている第１判定部と、
前記無線品質を前記第１状態から前記第２状態に変更した時点から第１時間間隔経過した後に、前記無線品質を第２閾値以上である第３状態に変更した場合に、前記移動局が上りリンクの信号を送信しているか否かに基づいて、前記移動局が前記無線リンク状態の問題を検出しないか否かについて判定するように構成されている第２判定部とを具備することを特徴とする試験装置。